(57)【特許請求の範囲】
【請求項１】
パチンコ機の前面枠に、遊技盤を支承する取付枠をねじ止め固定すると共に施錠機構を併せて固定する前面扉の構造において、
前面枠に対する位置決め固定穴等が明けてある合成樹脂製の取付枠の一側に施錠機構の位置決め用の係合部材を外側に張り出して設け、前記施錠機構の取付片には、前記係合部材と係合することができる位置決め部を設けたことを特徴とするパチンコ機の前面扉の構造。
【請求項２】
パチンコ機の前面枠に、遊技盤を支承する取付枠をねじ止め固定すると共に施錠機構を併せてねじ止め固定する前面扉の構造において、
前面枠に対する位置決め穴等が明けてある合成樹脂製の取付枠の一側に、施錠機構の位置決め用の突起をした突設した位置決め片を外側に張り出して設け、前記前面枠には、前記取付枠から張り出して設けた前記位置決め片を収納することができる段付部を形成し、前記施錠機構の取付片には、前記位置決め用の突起を嵌入することができる位置決め用の孔を設けたことを特徴とするパチンコ機の前面扉の構造。
【請求項３】
パチンコ機の前面枠に、遊技盤を支承する取付枠をねじ止め固定すると共に施錠機構を併せてねじ止め固定する前面扉の構造において、
前面枠に対する位置決め穴等が明けてある合成樹脂製の取付枠の一側に、施錠機構の位置決め用の孔を設けた位置決め片を外側に張り出して設け、前記前面枠には、前記取付枠から張り出して設けた前記位置決め片を収納することができる段付部を形成し、前記施錠機構の取付片には、前記位置決め用の孔に嵌入することができる位置決め用の突起を突設したことを特徴とするパチンコ機の前面扉の構造。
【請求項４】
前面枠のコーナ部には弾性部材でなる保護帯を設けた請求項１または２または３に記載されたパチンコ機の前面扉の構造。
【発明の詳細な説明】
【０００１】
【発明の属する技術分野】
本発明は、パチンコ機の前面扉の構造に関するものである。
【０００２】
【従来の技術】
パチンコ機において、機枠の前面に開閉自在に装着される前面扉は、ガラス扉枠を前面に取付け、背面に、遊技盤を支承する取付枠を開閉自在に取付ける前面枠で成り、この前面枠の一側には、シリンダ錠と取付片でなる施錠機構が固定される構造とされている。この前面扉の製作に際して、下方にハンドル用穴、中央一側にシリンダ錠用穴、上方に動作ランプ用穴等が加工されて全体が四角枠板状とされた前面枠を位置決め治具を介して手動にて固定する。
【０００３】
次に、この前面枠に対して施錠機構のロッド状のシリンダ錠をシリンダ錠用穴に通して、施錠機構を挟むようにして押圧固定する治具により位置決め固定してから、施錠機構の平板状の取付片の取付穴を介して前面枠に施錠機構をねじ止め固定する。この後、複数の位置決め穴が設けられた取付枠を、これら穴を介して前面枠にねじ止め固定するものである。
【０００４】
この作業においては、施錠機構の前面枠に対しての位置決めに際して位置決め用の治具を使用しなければならず、この治具を使用しても、時によっては作業のバラ付により、シリンダ錠用穴とシリンダ錠とのクリアランスがあることから取付枠と施錠機構と前面枠との相対位置関係の精度を保持することが困難である場合があり後行程での修正作業を要する場合があった。
【０００５】
【発明が解決しようとする課題】
本発明は上記の不都合を改善し、常に取付枠と施錠機構と前面枠との相対位置関係を精度よく保持し得ると共に製作工数の低減されるパチンコ機の前面扉の構造を提供しようとするものである。
【０００６】
【課題を解決するための手段】
本発明では、パチンコ機の前面枠に、遊技盤を支承する取付枠をねじ止固定すると共に施錠機構を併せてねじ止め固定する前面扉の構造において、
前面枠に対する位置決め固定穴等が明けてある合成樹脂製の取付枠の一側に、施錠機構の位置決め用の係合部材を外側に張り出して設け、前記施錠機構の取付片には、前記係合部材と係合することができる位置決め部を設けた。
【０００７】
前面枠に対する位置決め穴等が明けてある合成樹脂製の取付枠の一側に、施錠機構の位置決め用の突起をした突設した位置決め片を外側に張り出して設け、前面枠には、取付枠から張り出して設けた位置決め片を収納することができる段付部を形成し、施錠機構の取付片には、位置決め用の突起を嵌入することができる位置決め用の孔を設けたものとする。
【０００８】
前面枠に対する位置決め穴等が明けてある合成樹脂製の取付枠の一側に、施錠機構の位置決め用の孔を設けた位置決め片を外側に張り出して設け、前面枠には、取付枠から張り出して設けた位置決め片を収納することができる段付部を形成し、施錠機構の取付片には、位置決め用の孔に嵌入することができる位置決め用の突起を突設したものとする。
【０００９】
前面枠のコーナ部には弾性部材でなる保護帯を設けたものとする。
【００１０】
【発明の作用】
取付枠を前面枠に、取付枠の位置決固定穴を介してねじ止め固定してから、取付枠の施錠機構の位置決め用の係合部材を、施錠機構の位置決め部に係合させることにより、取付枠と施錠機構と前面枠との相対位置は一義的に決まる。
【００１１】
【発明の実施の形態】
ガラス扉枠を前面に取付け、背面に、遊技盤を支承する合成樹脂製の取付枠をねじ止め固定する四角枠状の前面枠を主体として、取付枠の一側方に施錠機構を施錠取付穴を利用して固定する前面扉において、前面枠に対する位置決め固定穴、施錠取付穴等が明けてある取付枠の一側に、施錠機構の位置決め用の係合部材を外側に張り出して設け、前記施錠機構の取付片には、前記係合部材と係合することができる位置決め部を設けた。
【００１２】
【実施例】
以下、図面を参照して本発明の実施例を説明する。図１は、完成されたパチンコ機を正面からみた斜視図であり、図２は前面扉１の構成要素である前面枠を開いた状態のパチンコ機を裏面からみた斜視図である。パチンコ機２は、機枠３の前面に前面枠４を開閉自在に装着している。前面枠４の窓穴周縁には金枠５が取付けられ、金枠５の一側にガラス窓枠６が開閉自在に装着される。前面枠４の裏面には取付枠７が固定され、この取付枠７には遊技盤８が位置決めされて着脱自在に支承される。遊技盤８の裏面には機構板９が開閉自在に装着される。前面枠４の一側部の開放される裏面には施錠機構１１が装着されるものである。
【００１３】
詳細には、上記前面扉１の主構成要素である前面枠４は略四角枠板状の木製の略四角枠板状に形成され、表側となる前面にガラス窓枠６が装着され、背面に遊技盤８を支承する合成樹脂製の取付枠７がねじ止め固定される周知ものである。前面枠４には、中央一側にシリンダ錠用の通し穴４ａ（図３参照）、下方にハンドル用穴、、上方に動作ランプ用穴等が加工されている（これらは図示しない）。更に前面枠４の上下のコーナ部には板薄状となる四面の切欠部４ｂを形成し、この切欠部４ｂに弾性部材でなる保護帯１２を巻装して設けている。
【００１４】
図３は、前面扉１を分解した状態の裏面からみた部分斜視図であって、前面枠４に対する取付枠７、施錠機構１１の取付け状態が示される。施錠機構１１は、周知の構成のもので、縦長の断面Ｌ字形の取付基板１１ａを備え、折曲げられた取付片１１ｂ、１１ｃが形成され、前面枠４の通し穴４ａ側に対面する取付片１１ｂには対応する錠１１ｄが取付けられている。また取付片１１ｃの上下にフック部材１１ｅ、１１ｅを錠１１ｄに付帯する機構部１１ｆと連結するばね１１ｇにて引張する構成のものとしている。更に取付片１１ｂの上下には前面枠４への取付孔１１ｈ〜１１ｈが穿孔され、この取付孔１１ｈ〜１１ｈの内側の上下には、取付枠７の位置決め用の位置決め孔１１ｊ、１１ｊが穿孔されている。
【００１５】
次に、取付枠７の、施錠機構１１の取付片１１ｃに対面し、錠１１ｄに対応する位置には錠１１ｄの錠逃し部７ａが形成され、前記位置決め孔１１ｊ、１１ｊに対応する位置には位置決め片７ｂ、７ｂが外側に張り出して設けられている。位置決め片７ｂ、７ｂは、先尖り丸の板状に形成され、取付枠７の表面に接着剤により固着され、前記位置決め孔１１ｊ、１１ｊに嵌入される円柱状の突起７ｃ、７ｃが形成されている。取付枠７が取付けられる、前面枠４には、前記通し穴４ａ、切欠部４ｂ、４ｂの他に、内枠上下に、前記位置決め片７ｂ、７ｂを収納することができる形状の段付部４ｃ、４ｃが形成されている。段付部４ｃ、４ｃの深さは略位置決め片７ｂ、７ｂの厚さとされている。
【００１６】
上記の前面扉１の製作に際して、まず前面枠４の前面に金枠５を取付けてから、前記段付部４ｃ、４ｃに位置決め片７ｂ、７ｂを収納しつつ、取付枠７の図示しない位置決め孔を利用して、取付枠７を前面枠４にねじ止め固定する。次に、施錠機構１１を、位置決め孔１１ｊ、１１ｊに、取付枠７の突起７ｃ、７ｃを嵌め入れるようにして固定する。しかる後に、取付孔１１ｈ〜１１ｈを利用して施錠機構１１の取付片１１ｂを前面枠４にねじ止め固定する。
【００１７】
図２には、上記の製作工程の後、更に後行程の後の組立完成状態が示され、このＸ−Ｘ矢示の部分  断面図である図４に取付け状態が示される。この状態から明らかのように、取付枠７の前面７ｇは前面枠４の後面４ｄに一致するように固定される。
【００１８】
他の実施例として、図５に示すように、取付枠７の位置決め片７ｂ、７ｂ側に、位置決め孔７ｄ、７ｄを設け、施錠機構１１の取付片１１ｂ側に位置決め用の突起１１ｋ、１１ｋを設けてもよい。前面扉１の製作に際しての、この取付けの態様は上記より明らかなので省略する。
【００１９】
更に、他の実施例の分解斜視図が図６に示される。この実施例においては、施錠機構１１の取付片１１ｂ側に断面ハット状の型押部１１ｍ、１１ｍを形成し、この型押部１１ｍ、１１ｍに取付孔１１ｐ、１１ｐが設けられる。取付枠７の、型押部１１ｍ、１１ｍに対応する位置には、位置決め係止片７ｅ、７ｅが外側に張出して設けられる。係止片７ｅ、７ｅは、取付枠７の側面から延出して、先丸の平行板状に形成され、前記型押部１１ｍ、１１ｍにより形成される隙間１１ｒ、１１ｒに収納可能されいる。また、係止片７ｅ、７ｅには、前記型押部１１ｍ、１１ｍの取付孔１１ｐ、１１ｐに対応した係止孔７ｆ、７ｆが設けられる。
【００２０】
前面扉１の製作に際しては、まず前面枠４の前面に金枠５を取付けてから、取付枠７の図示しない位置決め孔を利用して、取付枠７を前面枠４にねじ止め固定する。次に、施錠機構１１の型押部１１ｍ、１１ｍにより形成される隙間１１ｒ、１１ｒに、係止片７ｅ、７ｅを収納しつつ、取付孔１１ｐ、１１ｐと係止孔７ｆ、７ｆを合わせて施錠機構１１を仮固定する。この仮固定後にねじ１３，１３を利用して施錠機構１１を前面枠４にねじ止め固定する。しかる後に、取付孔１１ｈ〜１１ｈを利用して施錠機構１１の取付片１１ｂを前面枠４にねじ止め固定する。
【００２１】
図７には、上記の製作工程の後、更に後行程の後の組立完成状態の一部が示され、このＹ−Ｙ矢示の部分  断面図である図８に取付け状態が示される。この実施例においては、型押部１１ｍ、１１ｍの隙間１１ｒ、１１ｒに係止片７ｅ、７ｅが収納されるものであるため、前記実施例の段付部４ｃ、４ｃが不要となり前面枠４製作の工数が低減される。
【００２２】
なお、この実施例では係止片７ｅ、７ｅは合成樹脂材とされたが、取付枠７にインサート成形された金属板材とすれば強度的に有利なものとなる。同様に、前記実施例の図３〜図５で示される位置決め片７ｂ、７ｂも取付枠７にインサート成形された金属板材としてもよい。また、係止片７ｅ、７ｅの係止孔７ｆ、７ｆ部分に代えて取付孔１１ｐ、１１ｐに嵌め入れられる位置決め用のピンを垂設するものとしても良い。
【００２３】
上記実施例においては、前面枠は木製として、取付枠を、ねじを利用してねじ込むものとしたが、前面枠を合成樹脂材として金属製の雌ねじ部材あるいはナット体をインサート成形により、前面枠に埋め込み、取付枠を、雄ねじを利用し、施錠機構の取付孔を介して、ねじ込んで取付けるものとしてもよい。また、同様に前面枠を合成樹脂材として金属製の雄ねじ部材あるいはボルト体をインサート成形により、前面枠に埋め込み垂設して、取付枠を、ナットを利用して、施錠機構の取付孔を介して、雄ねじ部材あるいはボルト体に螺合させて取付けるものとしてもよい。
【００２４】
【発明の効果】
本発明は、取付枠を前面枠に、取付枠の位置決固定穴を介してねじ止め固定してから、取付枠の施錠機構の位置決め用の係合部材を、施錠機構の位置決め部に係合させることとしたので、取付枠と施錠機構と前面枠との相対位置は一義的に決まり、従来の治具を使用しての位置決め行程を不要として製作工数を大幅に低減することができる。
【００２０】
【図面の簡単な説明】
【図１】パチンコ機を正面からみた斜視図である。
【図２】前面枠を開いた状態の裏面からみた斜視図である。
【図３】前面扉を分解した状態の裏面からみた部分斜視図である。
【図４】図２のＸ−Ｘ矢示の部分  断面図である。
【図５】他の実施例における図４と同様な、部分  断面図である。
【図６】更に他の実施例における前面扉を分解した状態の裏面からみた部分斜視図である。
【図７】図６の前面扉を組付けた状態の裏面からみた部分斜視図である。
【図８】図７のＹ−Ｙ矢示の部分  断面図である。
【符号の説明】
１  前面扉、
２  パチンコ機、
４  前面枠、４ｃ  段付部、
７  取付枠、７ｂ  位置決め片、７ｃ  突起、
１１  施錠機構、１１ｂ  取付片、１１ｊ  位置決め孔、
１２  保護帯
【図１】
0003893665.tif 000002
【図２】
0003893665.tif 000003
【図３】
0003893665.tif 000004
【図４】
0003893665.tif 000005
【図５】
0003893665.tif 000006
【図６】
0003893665.tif 000007
【図７】
0003893665.tif 000008
【図８】
0003893665.tif 000009